(57)【要約】      （修正有）【課題】排水口の寸法公差によらず、排水口に排水管アダプタを固定でき、かつ、排水管アダプタと排水口との隙間から水が浸入しにくい洗面台を提供する。【解決手段】ボウル部と、排水口１３０と、排水管アダプタ１６０と、締結部材１７０とを備え、排水口１３０の内周面１３１が、下方に向けて絞られており、排水管アダプタ１６０は、フランジ部１６１と、フランジ部１６１の先端面に周設された溝と、環状パッキン１８０とを有し、フランジ部１６１の先端面は、排水口１３０の内周面１３１と当接するように排水管アダプタ１６０の径方向内側に向かって傾斜しており、排水口１３０の上方から挿入された排水管アダプタ１６０が締結部材１７０によって排水口１３０に固定された状態において、環状パッキン１８０は、排水口１３０の内周面１３１と当接することで溝の上方の隙間を埋めるように潰されて排水口１３０と排水管アダプタ１６０とを止水しているもの。【選択図】図３
2018031170.tif 000002
【特許請求の範囲】
【請求項１】
ボウル部と、前記ボウル部に設けられた排水口と、前記排水口の上方から挿入され、前記排水口と接続される排水管アダプタと、前記排水管アダプタを前記排水口に固定し、排水管と接続される締結部材と、を備えた排水口接続構造であって、
前記排水口は、前記ボウル部の底面の一部が凹んだ筒状で形成され、前記排水口の内周面が、下方に向けて絞られており、
前記排水管アダプタは、上部に半径方向に拡大して形成されたフランジ部と、前記フランジ部の先端面に設けられ、径方向内側に凹んで周設された溝と、前記溝内に設けられた環状パッキンと、を有し、
前記フランジ部の先端面は、前記排水口の内周面と当接するように前記排水管アダプタの径方向内側に向かって傾斜しており、
前記排水口の上方から挿入された前記排水管アダプタが前記締結部材によって前記排水口に固定された状態において、前記環状パッキンは、前記排水口の内周面と当接することで前記溝の上方の隙間を埋めるように潰されて前記排水口と前記排水管アダプタとを止水している
ことを特徴とする排水口接続構造。
【請求項２】
前記フランジ部は、先端が根元よりも肉厚であって、半径方向に拡大するにつれて、前記フランジ部の厚みが増すように形成されている
ことを特徴とする請求項１記載の排水口接続構造。
【請求項３】
前記フランジ部の上面は、前記フランジ部の先端から下方に傾斜している
ことを特徴とする請求項２記載の排水口接続構造。
【発明の詳細な説明】
【技術分野】
【０００１】
本発明は、ボウル部の排水口と排水管とが排水管アダプタを介して接続される排水口接続構造に関する。
【背景技術】
【０００２】
従来、洗面台において、ボウル部の底面が凹んで形成された筒状の排水口が形成されており、その排水口は、排水管アダプタを介して排水管と接続されている。
具体的には、排水口と排水管アダプタとは、排水管アダプタを排水口の上方向から挿入し、排水管アダプタのフランジ部と排水口の底面とを当接させ、排水口の下方向から排水管アダプタをパッキンを介してナットで締め付けて止水と固定を行っている。つまり、排水口の底面をフランジ部とパッキンを介したナットで上下方向から挟持することにより、排水口と排水管アダプタとの間の止水と排水管アダプタの固定をすることが知られている。
【０００３】
このような洗面台では、排水管アダプタのフランジ部の先端面（外周端）と排水口の内周面との間に、隙間が生まれ、その隙間に堆積した水垢やゴミなどが原因で悪臭や黒ずみの発生する問題があった。
一方で、特許文献１には、フランジ部上面から伸展されてフランジ部より薄く周設された環状舌片の変形によってフランジ部の先端面と排水口の内周面との間に可能な限り隙間を生じさせないようにした排水口接続構造が開示されている。
【先行技術文献】
【特許文献】
【０００４】
【特許文献１】特開２０１２−１１２２２９号公報
【発明の概要】
【発明が解決しようとする課題】
【０００５】
しかしながら、ボウル部を成形する上で、排水口の内径の大きさに寸法誤差が生じることがあり、排水口の内径がフランジの外径に対して過剰に大きくなってしまった場合はフランジ部の先端面と排水口の内周面との間の隙間を完全に埋めることができない、もしくは、フランジの外周端に対して排水口の内径が小さい場合は排水口に排水管アダプタを固定できない、という問題があった。
【０００６】
また、特許文献１の排水口接続構造においては、排水口と排水管アダプタとの接続間における止水は、フランジ部の底面と排水口の上面との間に設けられた上パッキンによって実現されているものであって、環状舌片によるものではない。なぜなら、特許文献１の排水口接続構造において、環状舌片は変形可能であるがゆえ、フランジ部が上方から下方に押し込まれて排水口に固定される際に、環状舌片に歪み等が発生してしまい、環状舌片と排水口の内周面との間に微細な隙間が生じてしまうためである。このように、環状舌片と排水口の内周面との間に微細な隙間が生じてしまうと、隙間が微細な分、毛細管現象も生じやすくなり、この毛細管現象によって、排水管アダプタと排水口の内周面とで囲まれた空間内の空気と排水とが置換されることで該空間へ排水が浸入し滞留してしまうという問題がある。排水管アダプタと排水口の内周面とで囲まれた空間へ排水が浸入し滞留してしまうと該空間内に菌が繁殖し、カビが繁殖したり異臭や黒ずみが発生したりする原因となってしまう。また、排水管アダプタと排水口の内周面とで囲まれた空間を清掃するためには排水管アダプタを取り外す必要があることから、該空間は清掃者にとって非常に清掃しにくい箇所であった。
【０００７】
本発明は、上記問題を解決するためになされたもので、本発明の課題は、排水口の寸法公差によらず、排水口に排水管アダプタを固定でき、かつ、排水管アダプタと排水口の内周面との隙間から水が浸入することを抑制する排水口接続構造を提供することである。
【課題を解決するための手段】
【０００８】
上記目的を達成するために、本請求項１に係る発明の排水口接続構造は、ボウル部と、前記ボウル部に設けられた排水口と、前記排水口の上方から挿入され、前記排水口と接続される排水管アダプタと、前記排水管アダプタを前記排水口に固定し、排水管と接続される締結部材と、を備えた排水口接続構造であって、前記排水口は、前記ボウル部の底面の一部が凹んだ筒状で形成され、前記排水口の内周面が、下方に向けて絞られており、前記排水管アダプタは、上部に半径方向に拡大して形成されたフランジ部と、前記フランジ部の先端面に設けられ、径方向内側に凹んで周設された溝と、前記溝内に設けられた環状パッキンと、を有し、前記フランジ部の先端面は、前記排水口の内周面と当接するように前記排水管アダプタの径方向内側に向かって傾斜しており、前記排水口の上方から挿入された前記排水管アダプタが前記締結部材によって前記排水口に固定された状態において、前記環状パッキンは、前記排水口の内周面と当接することで前記溝の上方の隙間を埋めるように潰されて前記排水口と前記排水管アダプタとを止水している。
【０００９】
本請求項１に係る発明の排水口接続構造によれば、排水口が下方に向けて絞られ、排水管アダプタの先端面も径方向内側に向かって傾斜しており、排水口の内周面とフランジ部の先端面とが当接される位置まで、排水管アダプタが排水口に挿入されて、締結部材で固定されるので、排水口の寸法によらず、排水口と排水管アダプタとの間の隙間をつめて固定することができる。
さらに、フランジ部の傾斜した先端面に形成された溝に環状パッキンが取付けられているので、排水管アダプタが上方から下方に挿入されて排水口に固定される際に、環状パッキンは、排水口の内周面と当接して、摩擦力が下方から上方にかかり弾性変形することとなる。その結果、環状パッキンが溝の上方に偏った状態で潰されて排水口と排水管アダプタとが止水され、その状態で、締結部材によって排水口に固定されることになる。
つまり、排水管アダプタの排水口への固定時には環状パッキンを取付けている溝の上方側に微細な隙間がなくなるので、毛細管現象によって排水がフランジ部の先端面の上端より下方へ浸入しづらくなり、カビが繁殖したり黒ずみや異臭の発生することを抑制することができる。
【００１０】
本請求項２に係る発明の排水口接続構造は、前記フランジ部は、先端が根元よりも肉厚であって、半径方向に拡大するにつれて、前記フランジ部の厚みが増すように形成されている。
【００１１】
本請求項２に係る発明の排水口接続構造によれば、フランジ部が、先端が根元よりも肉厚であって、半径方向に拡大するにつれて、フランジ部の厚みが増すように形成されている、したがって、フランジ部は、フランジ部の根元から徐々に径方向内側へ向かって弾性変形しやすい形状となっている。そのため、フランジ部において局所的に変形が起こることを抑制しつつ、排水管アダプタのフランジ部の先端面と排水口の内周面とが隙間なく当接する位置まで、排水管アダプタを挿入することができる。
さらに、フランジ部の根元から徐々に変形することで、フランジ部の先端を大きく変形させることなく、排水口の内周面にフランジ部の先端面を当接させることができ、排水口とフランジ部の先端との間により隙間を形成しにくい。
【００１２】
本請求項３に係る発明の排水口接続構造は、前記フランジ部の上面は、前記フランジ部の先端から下方に傾斜している。
【００１３】
本請求項３に係る発明の排水口接続構造によれば、フランジ部の上面が下方に傾斜していることにより、排水がフランジ部の上面に溜まることがなく、排水口と排水管アダプタとの間の隙間に入り込みにくい。
【発明の効果】
【００１４】
本発明によれば、排水口の寸法公差によらず、排水口に排水管アダプタを固定でき、かつ、排水管アダプタと排水口の内周面との隙間から水が浸入することを抑制する排水口接続構造を提供することができる。
【図面の簡単な説明】
【００１５】
【図１】本発明の実施形態における洗面台を備えた洗面化粧台の正面図である。
【図２】図１の洗面化粧台を示す側面断面図である。
【図３】図２における排水口の近傍を示す拡大図である。
【図４】本発明の実施形態における排水管アダプタの断面図である。
【図５】図３における排水管アダプタの近傍を示す拡大図である。
【発明を実施するための形態】
【００１６】
図１は、本発明の実施形態における洗面台を備えた洗面化粧台の正面図である。図２は、図１の洗面化粧台を示す側面断面図である。図３は、図２における排水口の近傍を示す拡大図である。図４は、図３における排水管アダプタの近傍を示す拡大図である。
【００１７】
図１、２に表されるように、本実施形態にかかる洗面台１００は、洗面化粧台１に取付けられている。
洗面化粧台１は、キャビネット２００の上方に設けられた洗面台１００と、洗面台の上方に設けられた化粧鏡３００と、を備える。
【００１８】
なお、本願明細書において、「上方」、「下方」、「右方」および「左方」という記載は、洗面化粧台１の前で洗面化粧台１を見た人を基準とした上、下、右および左をそれぞれいう。また、本願明細書においては、洗面化粧台１から、洗面化粧台１の前に居る人へ向かう方向を「前方」方向とし、その逆方向を「後方」方向とする。
【００１９】
洗面台１００は、ボウル部１１０と、ボウル部１１０に吐水を行う水栓装置１２０と、ボウル部１１０の底面１１１に形成された排水口１３０と、を有する。
ボウル部１１０の底面１１１は、排水口１３０に向かって下方に傾斜した排水勾配が形成されている。
また、ボウル部１１０の底面１１１と排水口１３０とは、一体で成形されているため、段差が無く汚れのたまりにくくなっている。
【００２０】
排水口１３０の上方には、排水栓１４０が設けられている。排水栓１４０は、排水口１３０の部分に常設され、上下方向に昇降することにより排水口１３０を開閉することができる。
【００２１】
水栓装置１２０は、ボウル部１１０の上面後方に設けられている。
水栓装置１２０は、吐水部１２１と、操作レバー１２２とを有する。吐水部１２１は、ボウル部１１０に洗浄水を吐出する。具体的に説明すると、水栓装置１２０は、図示しない開閉弁を介して給水源に接続されている。洗浄水は、水栓装置１２０の操作部である操作レバー１２２への手動操作により開閉弁が開状態となった際に、吐水部１２１からボウル部１１０に吐出される。
【００２２】
図３に表したように、排水口１３０は、ボウル部１１０の底面１１１の一部が下方に凹んだ筒状に形成されている。
排水口１３０の内周面１３１は、上方から下方に向かい滑らかに傾斜し、徐々に絞られて形成されている。つまり、内周面１３１の上端よりも、内周面１３１の下端の半径のほうが狭くなっている。
【００２３】
また、排水口１３０には、ボウル部１１０と排水管１５０とを接続するための筒状の排水管アダプタ１６０がナット状の締結部材１７０によって、固定されている。
【００２４】
排水管アダプタ１６０は、その上部から半径方向に拡大して形成されたフランジ部１６１と、フランジ部１６１の先端面１６１ａから径方向内側に凹み周設された溝１６２と、を有する。なお、先端面１６１ａとは、例えばフランジ部１６１の外周面であって排水口１３０の内周面に当接する面のことを指す。
【００２５】
溝１６２には、排水口１３０と排水管アダプタ１６０との間を止水する環状パッキンとしてＯリング１８０が取付けられている。
なお、本実施形態においては、環状パッキンとして、断面が円形のＯリングが用いられているが、これに限らず、Ｘリングなどの他の断面形状のものでもよい。
【００２６】
排水管アダプタ１６０は、排水口１３０の上方から挿入され、排水口１３０に固定される。
排水口１３０に固定された状態では、排水管アダプタ１６０のフランジ部１６１の先端面１６１ａは、排水口１３０の内周面１３１と当接している。
また、フランジ部１６１より下方の排水管アダプタ１６０の外周面１６０ａには、締結部材１７０と螺合するためにネジ加工がされている。
【００２７】
排水管アダプタ１６０が排水口１３０に取付けられた状態において、フランジ部１６１の下面と排水口１３０の内周面１３１と排水管アダプタの外周面１６０ａとで空間Ｓが形成されている。
【００２８】
締結部材１７０は、円筒状のナットであり、排水管アダプタ１６０の上下方向の位置を固定するために設けられている。締結部材１７０は、その内周面がネジ加工されており、排水管アダプタ１６０の周面に形成されたネジ溝と螺合されている。また、締結部材１７０は、排水口１３０の下面と当接される位置まで、排水管アダプタ１６０と螺合されている。
締結部材１７０は、下方に垂下して形成された延在部１７１が設けられている。
延在部１７１の外周は、ネジ加工されており、排水管１５０に形成されたネジ溝を螺合させることで、排水管１５０をボウル部１１０の排水口１３０に固定することができる。
【００２９】
また、排水管１５０は、排水管１５０の固定位置が常に同じである締結部材１７０と螺合することで、ボウル部１１０の排水口１３０と接続されるため、排水管アダプタ１６０の内周面１３１への固定位置が変わった場合でも、常に同じ位置に排水管１５０を固定することができる。
【００３０】
次に、図４、５を用いて、排水管アダプタ１６０の詳細について説明を行う。
図４に示すように、排水管アダプタ１６０のフランジ部１６１は、半径方向外側になるにつれ、フランジ部１６１の厚みが増すように形成されている。つまり、フランジ部１６１は、その先端１６１ｃのほうが、根元１６１ｄよりも肉厚に形成されているので、フランジ部の根元から徐々に弾性変形しやすい。そのため、フランジ部１６１は、フランジ部１６１の先端面１６１ａに半径方向の外側から内側に荷重がかかった場合に、排水管アダプタ１６０の半径方向に縮径することができる。その結果、フランジ部１６１が局所的に変形することを抑制しつつ、フランジ部１６１の先端面１６１ａを内周面１３１に隙間無く当接させることができる位置まで、排水管アダプタ１６０を挿入することができる。
また、排水管アダプタ１６０の挿入時において、根元１６１ｄからフランジ部１６１を徐々に変形させて、排水口に当接させることができるので、先端１６１ｃの形状を大きく変形させることなく、内周面１３１に先端面１６１ａを当接させることができ、排水口１３０とフランジ部１６１との間に隙間を形成しにくい。
【００３１】
フランジ部１６１の先端面１６１ａは、内周面１３１と当接するように排水管アダプタ１６０の径方向内側に向かって傾斜している。つまり、フランジ部１６１の先端面１６１ａは、排水口１３０の内周面１３１の傾斜に合わせて、傾斜しているので、排水口１３０の寸法によらず、内周面１３１と先端面１６１ａとの間を隙間なく当接させることができる。
【００３２】
フランジ部１６１の上面１６１ｂは、半径方向中心に向かって下方に傾斜し、排水管アダプタ１６０の内周面１６０ｂと滑らかに繋がっている。そのため、排水がフランジ部１６１の上面１６１ｂに溜まらず、排水を排水管アダプタ１６０の内周面１６０ｂに導くことができる。
【００３３】
排水管アダプタ１６０が排水口１３０に取付けられてない状態におけるＯリング１８０は、側面視において、溝１６２にＯリング１８０の半分以上が入り、且つ、その一部が先端面１６１ａより半径方向外側に突出している。言い換えると、Ｏリング１８０は、溝１６２からその一部がはみ出し、溝１６２内の上下方に隙間ができるように、取付けられている。
【００３４】
排水管アダプタ１６０が排水口１３０に取付けられる際には、Ｏリング１８０は、Ｏリング１８０の先端面１６１ａから突出している部分が排水口１３０の内周面１３１に当接して弾性変形し、潰されることで、排水口１３０と排水管アダプタ１６０との間を止水する。
言い換えると、溝１６２にＯリング１８０が取付けられていることにより、ナットを用いたフランジの下面とナットとの上下からの挟持でなく、排水管アダプタ１６０を挿入する際に、排水口１３０の内周面１３１とフランジ部１６１の先端面１６１ａとを隙間無く当接させるだけで、排水口１３０と排水管アダプタ１６０との止水を行うことができる。
また、フランジ部１６１の先端面１６１ａに溝１６２内にＯリング１８０が設けられているにより、先端面１６１ａからＯリング１８０の位置がずれず、確実に先端面１６１ａでの止水を行うことができる。
また、排水口１３０の内周面１３１とフランジ部１６１の先端面１６１ａを当接させ、止水を行うので、排水口１３０の寸法誤差により、フランジ部１６１の固定位置が上下した場合でも、確実に止水をすることができる。
【００３５】
また、排水口１３０に排水管アダプタ１６０が取付けられる際、Ｏリング１８０には、排水管アダプタ１６０への挿入方向とは逆である方向、つまり、下方から上方に摩擦が働いているので、Ｏリング１８０は、溝１６２内で溝１６２内の上方の隙間が埋められるように弾性変形して潰される。
そのため、排水管アダプタ１６０が排水口１３０に取付けられた際には、毛細管現象によって排水がフランジ部の先端面の上端より下方へ浸入しづらくなり、カビが繁殖したり黒ずみや悪臭が発生したりすることを抑制することができる。具体的には、排水管アダプタ１６０を排水口１３０に取付けた際にできる溝１６２内の下方の隙間及び空間Ｓに排水が入らなくなる。
また、Ｏリング１８０の弾性変形の反作用力により、排水管アダプタ１６０は、上方に移動しようとするが、締結部材１７０によって固定されているため、排水管アダプタ１６０が上方への移動するのを妨げ、止水状態を保つことができる。
【符号の説明】
【００３６】
１…洗面化粧台
１００…洗面台
１１０…ボウル部
１１１…底面
１２０…水栓装置
１２１…吐水部
１２２…操作レバー
１３０…排水口
１３１…内周面
１４０…排水栓
１５０…排水管
１６０…排水管アダプタ
１６０ａ…外周面
１６０ｂ…内周面
１６１…フランジ部
１６１ａ…先端面
１６１ｂ…上面
１６２…溝
１７０…締結部材
１７１…延在部
１８０…Ｏリング
２００…キャビネット
３００…化粧鏡
Ｓ…空間
【図１】
2018031170.tif 000003
【図２】
2018031170.tif 000004
【図３】
2018031170.tif 000005
【図４】
2018031170.tif 000006
【図５】
2018031170.tif 000007